(57)【要約】【課題】ユーザーの健康状態に応じた刺激を与える生体刺激装置を提供すること。【解決手段】生体刺激装置において、ユーザーの生体情報ＶＩを検出する検出部１０と、生体情報ＶＩに基づいてユーザーの健康状態ＨＩを推定する推定部５３と、健康状態ＨＩに基づいてユーザーに対する刺激情報ＳＩを決定する決定部５５とを備える。【選択図】図２
2016158700.tif 000002
【特許請求の範囲】
【請求項１】
ユーザーの生体情報を検出する検出部と、
前記生体情報に基づいて前記ユーザーの健康状態を推定する推定部と、
前記健康状態に基づいて前記ユーザーに対する刺激情報を決定する決定部と、
を備えることを特徴とする生体刺激装置。
【請求項２】
前記生体情報は、脈波、心拍、心電、脈拍、体温、活動量、摂取カロリー、消費カロリー、血糖値、血圧、および体動のうち少なくともいずれかを含むことを特徴とする請求項１に記載の生体刺激装置。
【請求項３】
前記健康状態は、睡眠状態、ストレス状態、疲労状態、緊張状態、興奮状態、リラックス状態、およびカロリー収支のうち少なくともいずれかに基づくことを特徴とする請求項１または請求項２に記載の生体刺激装置。
【請求項４】
前記刺激情報は、前記ユーザーに対して与える刺激種類、刺激回数、刺激位置、および刺激の強弱のうち少なくともいずれかを含む情報であることを特徴とする請求項１から請求項３のいずれか１項に記載の生体刺激装置。
【請求項５】
前記刺激情報に基づいて前記ユーザーを刺激する刺激部を更に備えること、
を特徴とする請求項１から請求項４のいずれか１項に記載の生体刺激装置。
【請求項６】
前記刺激部は、低周波のパルス電流を発生する低周波刺激、突状部をユーザーに接触または押圧させることで刺激を与える圧接刺激、身体部位を圧迫することで刺激を与える圧迫刺激、身体部位を温めるまたは冷やすことで刺激を与える温度刺激、のうち少なくともいずれかを含む刺激を与えることを特徴とする請求項５に記載の生体刺激装置。
【請求項７】
前記刺激部は、前記ユーザーの腕部、脚部、頭部、頸部、胸部のうち少なくともいずれかに対して刺激可能であること、
を特徴とする請求項５または請求項６に記載の生体刺激装置。
【請求項８】
前記ユーザーが着衣可能な服飾の一部であること、
を特徴とする請求項１から請求項７のいずれか１項に記載の生体刺激装置。
【請求項９】
前記生体情報、前記健康状態、および前記刺激情報のうち少なくともいずれかを報知する報知部を更に備えること、
を特徴とする請求項１から請求項８のいずれか１項に記載の生体刺激装置。
【請求項１０】
ユーザーの生体情報を検出する検出部と、
前記生体情報に基づいて前記ユーザーの健康状態を推定する推定部と、
前記健康状態に基づいて前記ユーザーに対する刺激情報を決定する決定部と、
前記刺激情報を送信する通信部と、
前記通信部から前記刺激情報を受信し、前記刺激情報に基づいて前記ユーザーを刺激する刺激部と、
を備えることを特徴とする生体刺激システム。
【請求項１１】
ユーザーの生体情報および健康状態に基づいて決定された前記ユーザーに対する刺激情報を受信する受信部と、
前記刺激情報に基づいて前記ユーザーを刺激する刺激部と、
を備えることを特徴とする刺激装置。
【発明の詳細な説明】
【技術分野】
【０００１】
本発明は、生体刺激装置、生体刺激システム、および刺激装置に関する。
【背景技術】
【０００２】
従来、生体に対して外部から電気、磁気、圧迫等の刺激を与え、肉体的な疲労の軽減、肩こり改善、足のむくみ改善、精神的なストレス解消といった生体の肉体的または精神的な改善をする健康機器が知られている。例えば、特許文献１では、生体に対して電気エネルギーおよび磁気エネルギーを同時に作用させ、生体に刺激を与える健康機器（生体刺激装置）が提案されていた。
【先行技術文献】
【特許文献】
【０００３】
【特許文献１】特開２００２−６５８６７号公報
【発明の概要】
【発明が解決しようとする課題】
【０００４】
しかしながら、特許文献１に記載の生体刺激装置では、ユーザーが身体に装着すると同時に接触している皮膚を介して刺激を与えるものであり、ユーザーの精神的および肉体的な健康状態がいかなる状況であっても関係なくユーザーへ刺激を与えてしまっていた。ユーザーは、ユーザー自身のことであっても必ずしも自身の健康状態を的確に判断しているとは限らない。例えば、目的の仕事を成し遂げるために気が張り詰めている状態が続き精神的なストレスが溜まっている状態になっていたとしても、必ずしも当事者はストレス状態になっていることに気付いているわけではない。このような状況が続くと、ストレスが重なりユーザーの精神的な状態は更に悪化してしまう虞がある。そこで、ユーザーの健康状態をユーザーに代わって判断し、判断結果に応じた刺激を与えることがきる生体刺激装置が必要とされていた。
【課題を解決するための手段】
【０００５】
本発明は、上述の課題の少なくとも一部を解決するためになされたものであり、以下の形態または適用例として実現することが可能である。
【０００６】
［適用例１］本適用例に記載の生体刺激装置は、ユーザーの生体情報を検出する検出部と、前記生体情報に基づいて前記ユーザーの健康状態を推定する推定部と、前記健康状態に基づいて前記ユーザーに対する刺激情報を決定する決定部と、を備えることを特徴とする。
【０００７】
本適用例によれば、生体刺激装置では、ユーザーの健康状態を、ユーザーから検出された生体情報に基づいて推定する。そして、推定した健康状態に基づいて、ユーザーに対する刺激情報を決定している。従って、ユーザーの健康状態を判断し、判断結果に応じた刺激を与えることができる生体刺激装置を提供することができる。
【０００８】
［適用例２］上記適用例に記載の前記生体情報は、脈波、心拍、心電、脈拍、体温、活動量、摂取カロリー、消費カロリー、血糖値、血圧、および体動のうち少なくともいずれかを含むことを特徴とする。
【０００９】
本適用例によれば、ユーザーの生体から検出された多様な生体情報により、ユーザーの健康状態を推定することができる。
【００１０】
［適用例３］上記適用例に記載の前記健康状態は、睡眠状態、ストレス状態、疲労状態、緊張状態、興奮状態、リラックス状態、およびカロリー収支のうち少なくともいずれかに基づくことを特徴とする。
【００１１】
本適用例によれば、ユーザーの精神的および肉体的な健康状態を推定することができる。
【００１２】
［適用例４］上記適用例に記載の前記刺激情報は、前記ユーザーに対して与える刺激種類、刺激回数、刺激位置、および刺激の強弱のうち少なくともいずれかを含む情報であることを特徴とする。
【００１３】
本適用例によれば、例えば、ユーザーの健康状態を改善するために好適な刺激の内容を選択することができる。
【００１４】
［適用例５］上記適用例に記載の前記刺激情報に基づいて前記ユーザーを刺激する刺激部を更に備えることを特徴とする。
【００１５】
本適用例によれば、生体刺激装置においてユーザーを刺激することができるため、ユーザーの健康状態を改善することができる。
【００１６】
［適用例６］上記適用例に記載の前記刺激部は、低周波のパルス電流を発生する低周波刺激、突状部をユーザーに接触または押圧させることで刺激を与える圧接刺激、身体部位を圧迫することで刺激を与える圧迫刺激、身体部位を温めるまたは冷やすことで刺激を与える温度刺激、のうち少なくともいずれかを含む刺激を与えることを特徴とする。
【００１７】
本適用例によれば、多様な刺激の方法により、ユーザーの多様な健康状態の改善に対応可能になる。
【００１８】
［適用例７］上記適用例に記載の前記刺激部は、前記ユーザーの腕部、脚部、頭部、頸部、胸部のうち少なくともいずれかに対して刺激可能であること、を特徴とする。
【００１９】
本適用例によれば、生体の多様な部位に刺激を与えることができるため、ユーザーの多様な健康状態の改善に対応可能になる。
【００２０】
［適用例８］上記適用例に記載の生体刺激装置は、前記ユーザーが着衣可能な服飾の一部であることを特徴とする。
【００２１】
本適用例によれば、ユーザーは服飾を身に着けることにより、日常生活や運動中において違和感や装着感少なく生体刺激装置の効用を得ることができる。
【００２２】
［適用例９］上記適用例に記載の前記生体情報、前記健康状態、および前記刺激情報のうち少なくともいずれかを報知する報知部を更に備えることを特徴とする。
【００２３】
本適用例によれば、ユーザーは、報知部により、自身の生体情報、健康状態、および刺激情報を認識することができる。
【００２４】
［適用例１０］本適用例に記載の生体刺激システムは、ユーザーの生体情報を検出する検出部と、前記生体情報に基づいて前記ユーザーの健康状態を推定する推定部と、前記健康状態に基づいて前記ユーザーに対する刺激情報を決定する決定部と、前記刺激情報を送信する通信部と、前記通信部から前記刺激情報を受信し、前記刺激情報に基づいて前記ユーザーを刺激する刺激部と、を備えることを特徴とする。
【００２５】
本適用例によれば、生体刺激システムでは、ユーザーの健康状態を、ユーザーから検出された生体情報に基づいて推定する。そして、推定した健康状態に基づいて、ユーザーに対する刺激情報を決定し、ユーザーを刺激することができる。従って、ユーザーの健康状態を判断し、判断結果に応じた刺激を与えることができる生体刺激システムを提供することができる。
また、通信部を介して刺激情報を送信することができるため、ユーザーの生体情報を検出する検出部とユーザーを刺激する刺激部とを物理的に離れた構成部とすることができる。例えば、決定部がユーザーの多様な部位に刺激を与える刺激情報を決定することにより、多様な身体部位に対して刺激を与えることができる。従って、ユーザーに対して、更に健康改善の効果が期待できる。
【００２６】
［適用例１１］本適用例に記載の刺激装置は、ユーザーの生体情報および健康状態に基づいて決定された前記ユーザーに対する刺激情報を受信する受信部と、前記刺激情報に基づいて前記ユーザーを刺激する刺激部と、を備えることを特徴とする。
【００２７】
本適用例によれば、刺激装置では、ユーザーの生体情報および健康状態に基づいて決定された刺激情報に基づいて、ユーザーに刺激を与えることができる。従って、ユーザーの健康状態を判断し、判断結果に応じた刺激を与えることができる刺激装置を提供することができる。
【図面の簡単な説明】
【００２８】
【図１】生体刺激装置の概要を表す説明図。
【図２】生体刺激装置の機能概要を表す説明図。
【図３】生体刺激装置の概略構成を示すブロック図。
【図４】推定プログラムの処理の流れを表すフローチャート図。
【図５】決定プログラムの処理の流れを表すフローチャート図。
【図６】実施形態２における生体刺激装置の概要を表す説明図。
【図７】実施形態２における生体刺激装置の概略構成を示すブロック図。
【図８】実施形態３における生体刺激装置の概要を表す説明図。
【図９】実施形態３における生体刺激装置の概略構成を示すブロック図。
【図１０】実施形態４における生体刺激システムの概要を表す説明図。
【図１１】生体刺激システムの概略構成を示すブロック図。
【図１２】実施形態５における生体刺激システムの概要を表す説明図。
【図１３】生体刺激システムの概略構成を示すブロック図。
【発明を実施するための形態】
【００２９】
以下、本発明の実施形態について、図面を参照して説明する。以下の各図においては、各層や各部材を認識可能な程度の大きさにするため、各層や各部材の尺度を実際とは異ならせしめている。なお、以下に説明する実施形態は、特許請求の範囲に記載された本発明の内容を不当に限定するものではない。また本実施形態で説明される構成の全てが、本発明の必須構成要件であるとは限らない。
【００３０】
（実施形態１）
（生体刺激装置の概要）
図１は、生体刺激装置の概要を表す説明図である。図２は、生体刺激装置の機能概要を表す説明図である。まず、本実施形態に係わる生体刺激装置１の概要について説明する。
【００３１】
図１に示す生体刺激装置１は、ユーザーＵの前腕ＦＡに巻きつけるベルト形状をした装置である。生体刺激装置１には、前腕ＦＡに装着された状態で、前腕ＦＡの皮膚側の面に脈拍センサー１１、刺激部７０が備えられ、皮膚側と対向する反対側の面に表示部３１が備えられている。また、装置内部には、体動センサー１３が備えられている。生体刺激装置１は、ユーザーＵにより位置が調整された上で前腕ＦＡに装着される。具体的には、前腕ＦＡの手の平側で手首と肘の間に存在する「げき門」（ツボＰ１）が、刺激部７０に覆われるまで生体刺激装置１が移動される。位置決めが終わると、ベルトが締められて固定される。
【００３２】
脈拍センサー１１は、前腕ＦＡの皮膚表面において血流量を検知し脈波および脈拍数を検出する。前腕ＦＡに装着されている間は、業務中、休息中、睡眠中、および運動中などを含む日常生活において常時脈拍数を検出しており、例えば、打ち合わせなどの業務中において脈拍数を数秒毎（例えば１秒）に検出することも可能である。体動センサー１３は、加速度センサーなどで構成され、ユーザーＵの体動の変化状況などの体動情報を検出する。刺激部７０は、電気エネルギーを生体に印加する公知の刺激ユニットであり、電気エネルギーの出力開始と停止、出力エネルギーの強弱、出力間隔などを切り換えることができる。これらを制御する内容は、後述する決定部５５から出力される刺激情報ＳＩに定義されている。
ツボＰ１は、精神を安定させる効果があるとされるツボである。ツボＰ１および周辺（例えば半径５ｍｍ程度）の領域に、刺激部７０から刺激が与えられることにより、ユーザーＵが精神的に安定した状態に向かうことが期待される。
表示部３１は、文字やアイコンの表示が可能な表示装置であり、例えば、柔軟に変形可能なフレキシブルタイプのドットマトリックス型ＥＰＤ（Electrophoretic Display）などである。
【００３３】
図２に示すユーザーＵには、前腕ＦＡに生体刺激装置１が装着されている。生体刺激機能１Ｑは、装着された生体刺激装置１において実現される機能の一部を表している。検出部１０は、生体信号Ｖを検出し、生体情報ＶＩを出力する。推定部５３は、生体情報ＶＩから健康状態の情報である健康状態ＨＩを推定する。決定部５５は、健康状態ＨＩの情報に基づいて、ユーザーＵに対して与える刺激に関する刺激情報ＳＩを決定する。刺激情報ＳＩには、出力エネルギーの強弱、出力間隔などの情報が含まれている。刺激部７０では、刺激情報ＳＩの内容に基づいて、ユーザーＵに刺激Ｓを与える。
【００３４】
このように生体刺激装置１では、ユーザーＵから生体信号Ｖを直接検出し、生体刺激機能１Ｑを経由して、ユーザーＵに刺激Ｓを直接与えている。生体刺激機能１Ｑでは、ユーザーの生体情報ＶＩから健康状態ＨＩを推定し、健康状態ＨＩに応じた刺激情報ＳＩを決定している。これにより、ユーザーＵには、ユーザーＵの健康状態ＨＩが配慮された刺激Ｓが与えられることになる。
また、従来の装置では、ユーザーＵが自身で意識して装着する行為をすることにより刺激Ｓが与えられていたのに対し、生体刺激装置１では、ユーザーＵの日常生活において常時生体信号Ｖをセンシングし、健康状態ＨＩに異常があった場合だけ、刺激Ｓを与えることができる。
【００３５】
以下に、このような生体刺激装置１の詳細について説明する。
【００３６】
（生体刺激装置の構成）
図３は、生体刺激装置１の概略構成を示すブロック図である。
生体刺激装置１は、検出部１０、報知部３０、操作部３５、時計部３７、記憶部４０、制御部５０、刺激部７０などから構成される。
【００３７】
検出部１０は、脈拍センサー１１および体動センサー１３などで構成されている。
脈拍センサー１１は、発光素子と受光素子とを備える光電センサーにより構成されており、発光素子から生体に向かって光を照射させ、血管で反射された反射光を受光素子により受光する。脈拍センサー１１は、血管の拡張時と収縮時とで光の反射率が異なる現象を利用してユーザーＵの脈波を検出する。脈拍センサー１１は、検出された脈波のデータを周波数分解処理し各周波数の信号強度値を分析し、脈波に相当する周波数スペクトルを特定する。そして、脈波の周波数スペクトルの周波数から脈拍数を算出する。算出した脈拍数および脈波は生体情報として制御部５０へ出力される。尚、脈拍センサー１１は、上述の光電センサーに限らず、超音波により血管の収縮を検出して脈拍数を測定する超音波センサーを採用しても良く、電極から微弱電流を体内に流して脈拍数を測定するセンサー等を採用しても良い。
【００３８】
体動センサー１３は、加速度センサーなどであり、略直交する３軸方向の加速度を検出するＭＥＭＳ（Micro Electro Mechanical Systems）センサーである。３軸方向における各軸の加速度変化をサンプリング間隔毎に計測し、加速度信号を生成する。サンプリング間隔は例えば１６Ｈｚ以上に設定される。加速度信号から単位時間当たりの加速度の変化量を積分し、単位時間当たりの運動量を算出する。算出した運動量は体動情報として、制御部５０へ出力され、後述する推定部５３において健康状態ＨＩの推定に用いられる。
また、体動センサー１３は、ジャイロセンサーを備えても良い。ジャイロセンサーは、略直交する３軸を中心軸とした角速度を検出するＭＥＭＳセンサーであり、各軸を中心とした角速度の変化をサンプリング間隔毎に計測し角速度信号を生成する。サンプリング間隔は例えば１６Ｈｚ以上に設定される。角速度信号を用いてユーザーの身体の傾きや回転に伴う運動量などを単位時間当たりに算出し、それらの情報を体動情報に含めても良い。
【００３９】
報知部３０は、表示部３１および音出力部３３などから構成されている。
表示部３１は、上述したようなフレキシブルタイプのドットマトリックス型ＥＰＤであり、制御部５０から入力される表示信号に従って生体情報ＶＩ、健康状態ＨＩ、刺激情報ＳＩなどを表した文字列およびアイコンイメージなどの各種表示を行う。尚、表示部３１は、ＬＣＤ（Liquid Crystal Display）、セグメント型ＬＣＤ、有機エレクトロルミネッセンスディスプレイなどであっても良い。
【００４０】
音出力部３３は、スピーカー、圧電振動子などを有して構成され、制御部５０から入力される出力信号に基づく各種報知を行う音出力装置である。尚、音出力部３３は、イヤフォンジャックや近距離無線を備えてもよく、その場合はユーザーＵに装着されるイヤフォンやヘッドフォンへ音声出力信号を送信しても良い。
【００４１】
尚、報知部３０は、複数個の複数色を発光するＬＥＤ（Light Emitting Diode）などの発光素子を備え、刺激Ｓを与えることをユーザーＵに知らせるためにＬＥＤを発光させる構成であっても良い。
【００４２】
操作部３５は、タッチセンサーやタッチパネル等を有して構成される入力装置であり、表示部３１の表面に配設され、静電容量方式または抵抗膜方式などの方式でタッチされた部位を検出し、検出信号を制御部５０に出力する。
【００４３】
時計部３７は、リアルタイムクロックであり、例えば検出部１０へのクロック出力、サンプリング時間、タイマー機能、時計機能、ストップウォッチ機能などの計時機能を有している。
【００４４】
記憶部４０は、ＲＯＭ（Read Only Memory）やフラッシュＲＯＭ、ＲＡＭ（Random Access Memory）等の記憶装置によって構成され、制御部５０の各機能部を実現するための各種プログラム、データ等を記憶している。また、各種処理の処理中データや変数の値、処理結果などを一時的に記憶するワークエリアを有する。
記憶部４０には推定プログラム４１、決定プログラム４３などが格納されている。
【００４５】
推定プログラム４１は、制御部５０に読み込まれて実行されることで、制御部５０に含まれている機能部である推定部５３の機能が実行される。これらの処理については、推定部５３において後述する。
【００４６】
決定プログラム４３は、制御部５０に読み込まれて実行されることで、制御部５０に含まれている機能部である決定部５５の機能が実行される。これらの処理については、決定部５５において後述する。
【００４７】
制御部５０は、記憶部４０に記憶されている各種プログラムに従って生体刺激装置１の各部を統括的に制御する制御装置および演算装置であり、ＣＰＵ（Central Processing Unit）やＤＳＰ（Digital Signal Processor）等のプロセッサーを有して構成される。
【００４８】
制御部５０は、検出制御部５１、推定部５３、決定部５５、および刺激制御部５７などの機能部から構成されている。但し、これらの機能部は一実施例として記載したものに過ぎず、必ずしもこれらすべての機能部を必須構成要素としなければならないわけではない。また、これら以外の機能部を必須構成要素としても良い。
【００４９】
検出制御部５１は、制御部５０側から検出部１０を制御する機能部であり、検出部１０を構成する各センサーの起動や停止、各センサーに対するサンプリング間隔の決定、検出部１０により検出した生体情報ＶＩの取得、および逐次取得した生体情報ＶＩを記憶部４０に記憶するなどの機能を有する。検出制御部５１は、検出部１０から生体情報ＶＩを取得すると、サンプリング間隔（例えば、１秒間隔）毎に、脈拍数（以降、脈拍数ＨＲと呼称する）、体動情報（以降、体動情報Ｘと呼称する）を記憶部４０に記憶する。記憶部４０には、過去に検出された脈拍数ＨＲおよび体動情報Ｘが格納されていても良い。
【００５０】
（推定部）
推定部５３は、生体情報ＶＩから健康状態ＨＩを推定する。詳しくは、ユーザーＵから取得した脈拍数ＨＲおよび体動情報Ｘの情報から、ユーザーＵが精神的なストレス状態となっているか否かを推定する。尚、精神的なストレス状態は、刺激部７０により刺激可能なツボＰ１を刺激することにより、ストレス状態を改善できるとされている。
【００５１】
推定部５３の処理の流れをフローチャート図を用いて説明する。
図４は、推定プログラムの処理の流れを表すフローチャート図である。図４に示すフローは、推定プログラム４１が制御部５０により読み込まれて実行されることで、推定部５３の機能を実現する処理を説明したものである。
【００５２】
ステップＳ１００では、体動情報Ｘを取得する。詳しくは、記憶部４０から最新の体動情報Ｘを取得する。体動情報Ｘは、単位時間（例えば、１秒間）当たりの運動量を表す指標であり、値が大きければ、体動量が多いことになるため、ユーザーＵが何らかの運動状態である可能性が高い。反対に値が小さければ、体動量が少なくユーザーＵは、運動をしていない状態、例えば、睡眠中、休憩中、会議や机上作業のような業務中などであって、積極的に身体を動かしていない非運動状態である。尚、体動情報Ｘは、単位時間当たりの運動量としているが、過去数回分の運動量の平均（移動平均値）を算出し、その値を体動情報Ｘとしても良い。
【００５３】
ステップＳ１１０では、脈拍数ＨＲを取得する。詳しくは、記憶部４０から最新の脈拍数ＨＲを取得する。脈拍数ＨＲは、最新の単位時間（例えば、１秒間）において算出された脈拍数（単位は、拍数／分）である。運動中など身体を動かしている状態、および精神的なストレス状態では、拍動数が早くなるため、脈拍数ＨＲは高い値になる。
【００５４】
ステップＳ１２０では、体動情報Ｘが閾値ＴＸと比較され、閾値ＴＸ以下である場合は（Ｙｅｓ）、ステップＳ１３０へ進み、閾値ＴＸよりも大きい場合は（Ｎｏ）、本フローを終了する。
閾値ＴＸは、体動情報Ｘの運動量が運動状態であるか非運動状態であるかを判定するための閾値である。体動情報Ｘが閾値ＴＸ以下である場合は、運動などを目的として身体を動かしていない非運動状態でありステップＳ１３０へ進む。
【００５５】
ステップＳ１３０では、非運動時の最大脈拍数ＨＲＭａｘを記憶する。詳しくは、非運動時の最大脈拍数ＨＲＭａｘは、非運動時における過去に検出されたユーザーＵの脈拍数ＨＲの中で最も高い脈拍数である。本ステップでは、ステップＳ１１０において取得した脈拍数ＨＲが過去に検出された非運動時の最大の脈拍数よりも大きい場合は、最大脈拍数ＨＲＭａｘとして記憶部４０に記憶する。
【００５６】
ステップＳ１４０では、ストレス度ＳＴを算出する。ストレス度ＳＴは、ユーザーＵのストレス状態を定量化した指標値であり、０〜１００（単位は％）の数値で表される。具体的には、安静時脈拍数ＨＲＲｅｓｔの脈拍数をストレス度ＳＴ＝０％とし、最大脈拍数ＨＲＭａｘの脈拍数をストレス度ＳＴ＝１００％として、その間を取る脈拍数ＨＲのストレス度ＳＴの値を算出する。
【００５７】
ユーザーＵの安静時脈拍数ＨＲＲｅｓｔは、予め測定され記憶部４０に記憶されている。尚、安静時脈拍数ＨＲＲｅｓｔは、ステップＳ１３０において、非運動時の最低脈拍数を記憶し、最低脈拍数を安静時脈拍数ＨＲＲｅｓｔとして用いても良い。
【００５８】
ストレス度ＳＴは、式１によって算出される。
ＳＴ＝１００×（ＨＲ−ＨＲＲｅｓｔ）／（ＨＲＭａｘ−ＨＲＲｅｓｔ）  ・・・（式１）
【００５９】
ステップＳ１５０では、ストレス度ＳＴが閾値ＴＳＴと比較され、閾値ＴＳＴ以上である場合は（Ｙｅｓ）、ステップＳ１６０へ進み、閾値ＴＳＴよりも小さい場合は（Ｎｏ）、本フローを終了する。
詳しくは、閾値ＴＳＴは、ユーザーＵがストレス状態であるか否かをストレス度ＳＴと比較して判定するための閾値である。閾値ＴＳＴは、好適例としては、５０％である。
【００６０】
ステップＳ１６０では、ストレス状態であることを報知する。詳しくは、ユーザーＵがストレス状態である旨を表す文字列またはアイコンを生成して、報知部３０（表示部３１）へ出力する。また、ユーザーＵの体動情報Ｘ、脈拍数ＨＲ、ストレス度ＳＴなどの情報を含めて表示部３１へ出力しても良い。
【００６１】
ステップＳ１７０では、健康状態ＨＩを記憶する。詳しくは、ユーザーＵがストレス状態になった時刻およびストレス度ＳＴの情報を含む記憶状態ＨＩを記憶部４０に記憶する。
【００６２】
以上のフローで示したように、体動情報Ｘおよび脈拍数ＨＲを含む生体情報ＶＩの情報から、ストレス状態になった時刻およびストレス度ＳＴを含む健康状態ＨＩを推定することができる。尚、本フローでは、単位時間を例えば１秒毎に繰り返される処理として説明したが、単位時間を１分間や５分間などより長い時間に設定することも可能である。例えば、単位時間を１分にした場合は、体動情報Ｘや脈拍数ＨＲは、過去１分間の平均値を用いて算出しても良い。
【００６３】
（決定部）
図３に戻る。
決定部５５は、健康状態ＨＩから刺激情報ＳＩを決定する。詳しくは、記憶部４０に記憶されているストレス状態の情報から最新のストレス度ＳＴを読み込む。ストレス度ＳＴの数値に応じた刺激情報ＳＩを設定する。刺激情報ＳＩには、刺激の強さが「弱」、「中」、「強」の３段階で、刺激の回数が毎秒１回、毎秒２回、毎秒３回の３段階で表された情報が含まれている。ストレス度ＳＴが高い場合は、刺激の強さを強く、また、刺激の回数を多く設定する。精神的なストレス状態が強い場合は、ツボＰ１への刺激の強さを強く、また、刺激の回数を多い刺激を与えることができる。
尚、決定部５５は、推定部５３によって、ユーザーＵがストレス状態であると推定されたときをトリガーとして開始されても良い。具体的には、ステップＳ１７０（図４）の処理が終わった後に、決定プログラム４３が読み込まれて実行されても良い。
【００６４】
決定部５５の処理の流れをフローチャート図を用いて説明する。
図５は、決定プログラムの処理の流れを表すフローチャート図である。図５に示すフローは、決定プログラム４３が制御部５０により読み込まれて実行されることで、決定部５５の機能を実現する処理を説明したものである。
【００６５】
ステップＳ２００では、ストレス度ＳＴが比較される。詳しくは、記憶部４０からストレス状態になった時刻情報を用いて最新のストレス度ＳＴを読み込み、ストレス度ＳＴの数値が、５０％以上７０％未満である場合は、ステップＳ２１０へ進み、７０％以上９０％未満である場合は、ステップＳ２２０へ進み、９０％以上である場合は、ステップＳ２３０へ進む。
尚、ストレス度ＳＴは、推定プログラムの処理フローによって、５０％以上１００％以下の範囲内の数値になっている。
【００６６】
ステップＳ２１０は、刺激情報ＳＩを、刺激の強さを「弱」、刺激の回数を毎秒１回として決定している。
ステップＳ２２０は、刺激情報ＳＩを、刺激の強さを「中」、刺激の回数を毎秒２回として決定している。
ステップＳ２３０は、刺激情報ＳＩを、刺激の強さを「強」、刺激の回数を毎秒３回として決定している。
【００６７】
ステップＳ２４０は、刺激情報を出力する。具体的には、ステップＳ２１０〜Ｓ２３０で決定した刺激情報ＳＩを刺激部７０へ送信する。
以上のフローで示したように、ストレス状態になった時刻およびストレス度ＳＴを含む健康状態ＨＩの情報から、刺激の強さおよび刺激の回数を含む刺激情報ＳＩを決定することができる。
尚、刺激情報ＳＩの内容として示した刺激の強さや刺激の回数は、あくまでも一例であり、他の設定内容であっても良い。また、刺激の強さや回数を適切な範囲内で変動させる設定であっても良い。
【００６８】
図３に戻る。
刺激制御部５７は、制御部５０側から刺激部７０を制御する機能部であり、刺激部７０を構成する刺激ユニットの起動や終了、出力エネルギーの開始と停止、刺激の強弱、刺激回数などを刺激部７０に指示する機能を有する。決定部５５が、刺激情報ＳＩを刺激部７０へ送信する場合は、刺激制御部５７が刺激情報ＳＩの情報を刺激部７０（刺激ユニット側）で解釈可能なコマンドまたは信号に変換して、刺激ユニットに送信する。
尚、刺激制御部５７は、刺激部７０側に設けられている構成であっても良い。その場合は、決定部５５から刺激情報ＳＩが刺激部７０へ送信されて、刺激部７０側で刺激情報ＳＩを解釈して刺激Ｓを出力する。
【００６９】
刺激部７０は、皮膚に接触してツボおよびツボの周辺に刺激を与える刺激ユニットであり、好適例として、低周波のパルス電流を発生する低周波刺激装置である。低周波刺激装置は、パルス電流発生部、パルス電流波形調整部、２つの電極（導子）（いずれも図示は省略）などから構成されている。パルス電流発生部は、制御部５０から出力されるコマンド、信号、または電源供給などをトリガーとしてパルス電流を発生させる。
パルス電流波形調整部は、パルス電流の波形に係わる電圧、パルス幅、出力周波数、出力継続時間などを変更することができ、制御部５０から出力されるコマンドまたは信号などに従って、波形を調整しパルス電流を出力する。
２つの導子は、１方をツボの位置に装着し、他方を他の皮膚部に装着し低周波のパルス電流がこの導子を介して皮膚側に出力される。また、特許文献１に示すように２つの導子を単一の装置として構成し、電気エネルギーおよび磁気エネルギーを発生する装置としても良い。
【００７０】
刺激部７０から出力されるパルス電流は、刺激情報ＳＩのステップＳ２１０〜Ｓ２３０（図５）の例を適用すると、例えば、次のように電圧および周波数を設定することができる。但し、刺激部７０の出力電圧は２０Ｖ〜４０Ｖ可変であり、出力周波数が１Ｈｚ〜３Ｈｚまで可変であるとする。
（１）刺激の強さ「弱」、回数が毎秒１回は、出力電圧２０Ｖ、出力周波数１Ｈｚ。
（２）刺激の強さ「中」、回数が毎秒２回は、出力電圧３０Ｖ、出力周波数２Ｈｚ。
（３）刺激の強さ「強」、回数が毎秒３回は、出力電圧４０Ｖ、出力周波数３Ｈｚ。
【００７１】
以上述べたように、本実施形態に係わる生体刺激装置１によれば、以下の効果を得ることができる。
検出部１０は、ユーザーＵからセンシングした生体信号Ｖから生体情報ＶＩを検出する。推定部５３は、生体情報ＶＩからユーザーＵの健康状態ＨＩを推定する。推定部５３では、ユーザーＵの健康状態ＨＩがストレス状態である場合は、ストレス度ＳＴを算出する。決定部５５は、ユーザーＵに対して与える刺激情報ＳＩを決定する。決定部５５では、ストレス度ＳＴの値に応じた刺激の強さ、刺激の回数を決定する。刺激部７０は、刺激情報ＳＩの内容に基づいて、ユーザーに対して刺激Ｓを与える。刺激部７０では、刺激情報ＳＩに含まれる刺激の強さおよび刺激の回数に対応する出力電圧および出力周波数を適用してパルス電流をユーザーＵに印加する。
【００７２】
このようにして、ユーザーＵの健康状態ＨＩがストレス状態になった場合に、ストレス状態を改善するツボであるツボＰ１に刺激が与えられる。刺激が与えられると、ユーザーＵのストレス状態が軽減または解消されていくことが期待できる。
従って、ユーザーの健康状態を判断し、判断結果に応じた刺激を与えることができる生体刺激装置１を提供することができている。
【００７３】
（実施形態２）
図６は、実施形態２における生体刺激装置の概要を表す説明図である。図７は、実施形態２における生体刺激装置の概略構成を示すブロック図である。
本実施形態に係わる生体刺激装置１０１について、これらの図を参照して説明する。尚、実施形態１と同一の構成部位に関しては、同一の番号を使用し、重複する説明は省略する。
【００７４】
実施形態１では、装置をユーザーＵの前腕ＦＡに装着していたが、本実施形態では、装置をユーザーＵの頭部に装着する点が異なる。図６に示すように、生体刺激装置１０１は、頭部眼前に装着するヘッドマウントディスプレイ型の装置である。
【００７５】
生体刺激装置１０１は、ユーザーＵに装着状態で、ユーザーＵの耳たぶに接触して脈拍を検出する脈拍センサー１１、体動センサー１３、ユーザーＵの眉間部に近い位置に配設される瞬き検出センサー１５、ユーザーＵの眼前に配設され透過型ハーフミラー構造をした表示部３１、こめかみ部に存在する「太陽」（ツボＰ２）を覆う位置に配設される刺激部７０などで構成されている。
【００７６】
ツボＰ２は、目の疲れを改善する効果があるとされるツボである。ツボＰ２および周辺の領域に、刺激部７０から刺激が与えられることにより、ユーザーＵの目の疲れ具合が軽減されることが期待される。
【００７７】
図７を用いて、生体刺激装置１０１の概略構成について説明する。
生体刺激装置１０１は、検出部１１０、記憶部１４０および制御部１５０などを備えている。
【００７８】
検出部１１０では、瞬き検出センサー１５を備えて構成されている。
瞬き検出センサー１５は、例えばＣＣＤ（Charge Coupled Device）などの撮像素子であり、受光量を光電変換して撮像信号（画像信号）を生成する。瞬き検出センサー１５は、ユーザーＵの顔面側に受光部を向けて配設され、ユーザーＵのまぶたの動きを検出する。具体的には、黒目または白目の部分を撮像し、瞬きされたことによる撮像画像の明度の変化を検出する。検出結果を、瞬き回数（回数／分）として算出し、単位時間毎（例えば、１秒毎）に生体情報ＶＩとして制御部１５０に出力する。尚、脈拍センサー１１および体動センサー１３において、検出された脈拍数や体動情報も生体情報ＶＩに含まれている。尚、瞬き検出センサー１５は、ＣＣＤを備える構成に限らず、単位時間当たりの瞬き回数を検出できる方法であれば良い。例えば、公知の眼電位センサーを備え目の動きを捉え瞬きを検出しても良い。
【００７９】
制御部１５０は、推定部１５３および決定部１５５の機能部を備えて構成されている。
推定部１５３では、生体情報ＶＩから、瞬き回数および脈拍数を参照して、所定の閾値と比較し、ユーザーＵの目の疲れ度合を推定する。瞬き回数および脈拍数が共に少なくなった場合に、血行不良とドライアイの症状が起きている虞があることから、ユーザーＵの目の疲れ度合が大きいと判断される。瞬き回数および脈拍数から目の疲れ度合の指標値を算出し、指標値が所定の閾値を下回った場合は、ユーザーＵの目が疲れた状態になっていると推定する。ユーザーＵの目が疲れた状態になった時刻および目が疲れ度合の指標値を含む情報を健康状態ＨＩとして生成する。
【００８０】
決定部１５５では、健康状態ＨＩに基づいて刺激情報ＳＩを決定する。健康状態ＨＩに含まれる目の疲れ度合の指標値に応じた刺激の強さ、刺激の回数などを決定する。決定した情報は、刺激部７０に出力されてユーザーＵに刺激が与えられる。
尚、ツボＰ２は、刺激の強さに敏感なツボであるため、最初は弱い状態から徐々に強く変化させる必要がある。決定部１５５では、刺激の強さを段階的に強くする経過時間や強さの段階の情報も含めて刺激情報ＳＩを生成する。
【００８１】
表示部３１では、生体情報ＶＩ、健康状態ＨＩ、刺激情報ＳＩなどの情報をハーフミラー部に表示して、ユーザーＵに報知しても良い。
【００８２】
記憶部１４０では、推定プログラム１４１および決定プログラム１４３を備えて構成されている。推定プログラム１４１は、制御部１５０により読み込まれて実行されることにより、推定部１５３の機能が実現される。決定プログラム１４３は、制御部１５０により読み込まれて実行されることにより、決定部１５５の機能が実現される。
【００８３】
以上述べたように、本実施形態に係わる生体刺激装置１０１によれば、実施形態１での効果に加えて以下の効果を得ることができる。
生体刺激装置１０１は、ヘッドマウントディスプレイ型で構成することにより、ユーザーＵの目の疲労度に関する健康状態を判断し、目の疲れを改善する効果のあるツボＰ２のツボを刺激することを実現している。具体的には、検出部１０に瞬き検出センサー１５を備えたことで、健康状態ＨＩとして目が疲れた状態を推定することができている。また、ツボＰ２のツボが目の疲れの改善に効果があるために、刺激部７０をツボＰ２の位置に配置している。
このような構成の生体刺激装置１０１は、例えば、精密部品の組立作業、表示装置の画面を長時間見詰めるＶＤＴ（Visual Display Terminals）作業、といった目の疲労度が高い作業を行う作業現場において有効である。このような作業現場で作業者に装着させることによって、作業者自身が疲労感を感じて作業を中断する前に、生体刺激装置１０１において目が疲れた状態を検出し目の疲れを改善することができるため、作業を継続することができ生産性が向上する効果が期待できる。
【００８４】
（実施形態３）
図８は、実施形態３における生体刺激装置の概要を表す説明図である。図９は、実施形態３における生体刺激装置の概略構成を示すブロック図である。
本実施形態に係わる生体刺激装置２０１について、これらの図を参照して説明する。尚、実施形態１と同一の構成部位に関しては、同一の番号を使用し、重複する説明は省略する。
【００８５】
実施形態１では、装置をユーザーＵの前腕ＦＡに装着していたが、本実施形態では、装置をユーザーＵの胸部に装着する点が異なる。図８に示すように、生体刺激装置２０１は、胸部に巻きつけて装着する胸ベルト型の装置である。
【００８６】
生体刺激装置２０１は、ユーザーＵの胸部に装着された状態でユーザーＵの皮膚側の面に、心拍センサー２１１、刺激部７０が配設されている。また、生体刺激装置２０１は、ユーザーＵによって、刺激部７０が胸部中央に存在する「だんちゅう」（ツボＰ３）を覆う位置に調整して装着される。更に、体動情報を検出する体動センサー１３、および気圧をセンシングする気圧センサー１７が備えられている。
【００８７】
ツボＰ３は、身体の血液循環を良好にするとされるツボであり、足のむくみやだるさの改善に効果があるとされるツボである。刺激部７０から刺激が与えられることにより、ユーザーＵの足のむくみやだるさが軽減または解消されることが期待される。
【００８８】
図９を用いて、生体刺激装置２０１の概略構成について説明する。
生体刺激装置２０１は、検出部２１０、記憶部２４０、および制御部２５０などを備えている。
検出部２１０では、心拍センサー２１１および気圧センサー１７を備えて構成されている。
心拍センサー２１１は、電極を備えた心電検出センサーであり、ユーザーＵの皮膚部に電極を接触させ心電を検出する。心拍センサー２１１では、心（脈）拍数（単位は、拍数／分）を検出し、制御部２５０へ出力する。
気圧センサー１７は、気圧を測定するＭＥＭＳ（Micro Electro Mechanical Systems）センサーであり、単位時間（例えば１秒間）毎に気圧の情報を出力する。
気圧の情報は、脈拍数および体動センサー１３により検出された体動情報と共に生体情報ＶＩとして制御部２５０へ出力される。
【００８９】
制御部２５０は、推定部２５３および決定部２５５の機能部を備えて構成されている。
推定部２５３では、生体情報ＶＩから、気圧情報を参照して、ユーザーＵが立っている時間帯を検出する。詳しくは、気圧センサー１７が測定した気圧の変化状況から、寝ている状態（気圧が高い）、座っている状態（気圧が中程度）、立っている状態（気圧が低い）のパターンを推定する。次に、生体情報ＶＩから、心拍数および体動情報を参照して、単位時間毎の運動量から非運動状態を検出する。ユーザーＵが非運動状態で立っている状態（立ち仕事状態）が一定時間（例えば、１時間）以上であれば、足のむくみの症状が出ていると推定して、立ち仕事状態が一定時間経過した（足のむくみの症状になった）時刻および一日分の立ち仕事時間の累積時間などが含まれた情報を健康状態ＨＩとして生成する。
【００９０】
決定部２５５では、健康状態ＨＩに基づいて刺激情報ＳＩを決定する。健康状態ＨＩに含まれる足のむくみの症状になった時刻と、一日分の立ち仕事時間の累積時間から刺激の強さおよび刺激の回数などを決定する。例えば、累積時間が長い場合は、刺激の強さを強くし、刺激の回数を増やす。
【００９１】
このようにして生成された刺激情報ＳＩが刺激部７０に出力されて、ユーザーＵに刺激が与えられる。
尚、刺激部７０より出力される低周波のパルス電流は、心拍センサー２１１の心電の検出に重畳されてしまうため、心拍センサー２１１側にも、低周波のパルス電流の波形を入力させ重畳された心電の波形から、例えば、ＦＦＴ（Fast Fourier Transform）を適用して心電の波形を抽出する。
【００９２】
記憶部２４０では、推定プログラム２４１および決定プログラム２４３を備えて構成されている。推定プログラム２４１は、制御部２５０により読み込まれて実行されることにより、推定部２５３の機能が実現される。決定プログラム２４３は、制御部２５０により読み込まれて実行されることにより、決定部２５５の機能が実現される。
【００９３】
尚、生体刺激装置２０１には、報知部３０が備えられていても良い。報知部３０には、ＬＥＤなどの表示部３１、圧電振動子などの音出力部３３が備えられ、生体情報ＶＩ、健康状態ＨＩ、刺激情報ＳＩの情報から必要な情報が選択されてＬＥＤの発光や点滅、ブザー音の出力等によりユーザーＵへ報知される。
【００９４】
以上述べたように、本実施形態に係わる生体刺激装置２０１によれば、上述の実施形態での効果に加えて以下の効果を得ることができる。
生体刺激装置２０１は、気圧センサー１７を更に備えることで、ユーザーＵが立っているという生体情報ＶＩを検出し、推定部２５３では、立ち仕事状態に応じた足のむくみの症状を健康状態ＨＩとして推定する。決定部２５５では、足のむくみ状態を改善するための刺激情報ＳＩを生成している。
このような構成の生体刺激装置２０１は、例えば、販売店の受け付けやレジ業務、製造ライン等の作業者などで立ち作業をする作業現場などにおいて有効である。このような作業現場で、作業者に装着させることで、足のむくみの症状が出る前に刺激が与えられることによって足のむくみが軽減または解消し、継続して長期間作業をすることができるようになる。
【００９５】
（実施形態４）
図１０は、実施形態４における生体刺激システムの概要を表す説明図である。図１１は、生体刺激システムの概略構成を示すブロック図である。
本実施形態に係わる生体刺激システム３について、これらの図を参照して説明する。尚、実施形態１と同一の構成部位に関しては、同一の番号を使用し、重複する説明は省略する。
【００９６】
生体刺激システム３は、生体刺激装置３０１および刺激装置５から構成されるシステムである。また、生体刺激装置３０１と刺激装置５とは通信２を介して通信可能に接続されている。
実施形態１では、刺激部７０が生体刺激装置１に備えられていたが、本実施形態では刺激部７０は、生体刺激装置３０１ではなく、刺激装置５に備えられている点が異なる。
【００９７】
生体刺激装置３０１は、ユーザーＵの手首ＷＲに装着される腕時計型の装置であり、脈拍センサー１１および体動センサー１３を含む検出部１０、表示部３１、操作部３５、通信部６０などから構成される。また、推定部３５３、決定部３５５を機能部として有している。
刺激装置５は、ユーザーＵの耳ＥＡを包む袋状をした装置であり、受信部７１、３箇所に刺激部７０を備えている。刺激部７０は、耳に存在するツボである「神門」（ツボＰ４）、「肺」（ツボＰ５）、「飢点」（ツボＰ６）をそれぞれ覆う位置に耳の皮膚部に接触して配置されている。
【００９８】
また、通信部６０および受信部７１は、好適例として、近距離無線アダプターであり、通信２を介して生体刺激装置３０１と刺激装置５と送受信可能に接続する。尚、通信部６０および受信部７１は、有線の通信アダプターであっても良く、その場合は通信２がケーブル等を介して接続される。
【００９９】
ツボＰ４、ツボＰ５、およびツボＰ６は、いずれもダイエットに効果があるとされるツボである。ツボＰ４は、食事を制限している時などの空腹感などから生じるイライラを緩和する効果があり、ツボＰ５は、インシュリンの過剰分泌を抑え、食欲を抑える効果があり、ツボＰ６は、過食および食欲を抑える効果があるとされ、これらのツボを刺激することによりユーザーＵの食欲が抑えられて減量を成功させることが期待される。
【０１００】
生体刺激装置３０１の検出部１０では、ユーザーＵから脈拍数および体動情報を含む生体情報ＶＩを検出する。
推定部３５３では、ユーザーＵの食事状況、運動状況の情報によりユーザーＵのダイエットの必要性の有無に関する健康状態ＨＩを推定する。具体的には、表示部３１、操作部３５を用いて食事内容や食事時間の情報の入力をユーザーＵに促し、それらの情報に基づいて摂取カロリーを算出する。脈拍数および体動情報に基づいて、運動時を含む消費カロリーを算出する。例えば、１日の摂取カロリーのほうが消費カロリーよりも多かった場合は、ダイエットの必要性有りと推定する。ダイエット必要性有りという情報と、カロリー差分量の情報を健康状態ＨＩとして生成する。
【０１０１】
決定部３５５では、健康状態ＨＩに基づいて刺激情報ＳＩを決定し、刺激情報ＳＩを刺激装置５へ送信する。健康状態ＨＩに含まれるダイエットの必要性有りという情報と、カロリー差分量の情報から刺激の強さおよび刺激の回数等を決定する。例えば、カロリー差分量が多いほど、刺激の強さを強くし、刺激の回数を増やしても良い。
【０１０２】
通信部６０では、決定部３５５の制御により、刺激装置５の受信部７１と通信を確立して、刺激装置５へ刺激情報ＳＩを送信する。
刺激装置５では、受信部７１が刺激情報ＳＩを受信すると、３箇所の刺激部７０に出力されて、刺激部７０では、刺激情報ＳＩで指定された刺激の強さ、および刺激の回数に応じた刺激ＳがユーザーＵへ与えられる。
【０１０３】
以上述べたように、本実施形態に係わる生体刺激システム３によれば、上述の実施形態での効果に加えて以下の効果を得ることができる。
ユーザーＵから生体信号Ｖを検出する生体刺激装置３０１と、ユーザーＵへ刺激Ｓを与える刺激装置５とを別体の異なる装置として構成することにより、刺激装置５を装着する位置に限定されること無く、また、小型化、軽量化することができるため、自由度の高い形状で構成することができる。本実施形態では、刺激装置５を複雑な形状の耳ＥＡに装着可能な形状にすることができている。
尚、本実施形態では刺激装置５を耳ＥＡに装着するとしているが、この構成に限定されず、人体のツボが存在する場所であればいずれの場所であっても刺激装置５を装着することができる。例えば、ツボが集中していると言われる足の裏や、足の指の間に位置するツボであっても、刺激装置５を靴下形状や５本指靴下形状で構成することによって生体の足にも適用可能である。
【０１０４】
（実施形態５）
図１２は、実施形態５における生体刺激システムの概要を表す説明図である。図１３は、生体刺激システムの概略構成を示すブロック図である。
本実施形態に係わる生体刺激システム１０３について、これらの図を参照して説明する。尚、実施形態４の生体刺激システムと同一の構成部位に関しては、同一の番号を使用し、重複する説明は省略する。
【０１０５】
実施形態４では、１台の刺激装置５と生体刺激装置３０１で構成されるシステムであったのに対し、本実施形態では複数台の刺激装置５を備えて構成されている点が異なる。
【０１０６】
生体刺激システム１０３は、生体刺激装置４０１および５台の刺激装置５，５Ａ，５Ｂ，５Ｃ，５Ｄから構成されるシステムである。５台の刺激装置５（５Ａ〜Ｄ）は、ウェアー７に固定されている。生体刺激装置４０１および５台の刺激装置５（５Ａ〜Ｄ）は、通信２を介して通信可能に接続されている。
【０１０７】
ウェアー７は、伸縮性のあるインナーであり、インナーの内側には刺激装置５（５Ａ〜Ｄ）が、刺激部７０をツボＰ１〜Ｐ６に接触可能な位置に縫製して固定されている。
生体刺激装置４０１は、生体信号Ｖをセンシングして生体情報ＶＩを検出し、健康状態ＨＩを推定する。推定した健康状態ＨＩには、精神的なストレス状態、足のむくみの症状、ダイエットが必要な状態などの多種の健康状態情報を含めることができる。健康状態ＨＩに基づいて、刺激情報ＳＩが決定される。刺激情報ＳＩには、多種の健康状態情報に対応する症状を軽減または解消することができるツボを選択して、選択したツボに対応する刺激Ｓを与えることができる刺激装置の情報が含まれる。
生体刺激装置４０１から、生成された刺激情報ＳＩが、通信２を介して刺激装置５（５Ａ〜Ｄ）へ一斉送信される。刺激装置５（５Ａ〜Ｄ）では、自身の刺激装置に対する情報である場合は、刺激情報ＳＩの内容に基づいて、刺激Ｓがウェアー７を着用している生体へ与えられる。
【０１０８】
以上述べたように、本実施形態に係わる生体刺激システム１０３によれば、上述の実施形態での効果に加えて以下の効果を得ることができる。
生体刺激装置４０１により推定された健康状態ＨＩには、多種の健康状態情報を含めることができる。また、ツボは、生体の様々な箇所に存在し、それぞれのツボは特定の健康状態を改善するとされている。本実施形態による生体刺激システム１０３では、多種の健康状態を推定することができ、複数台の刺激装置を備えて刺激Ｓを与えることで、多種の健康状態の改善を同時にすることができる。
【０１０９】
尚、本発明は上述した実施形態に限定されず、上述した実施形態に様々な変更や改良等を加えることが可能である。変形例を以下に述べる。
【０１１０】
（変形例１）
上述の実施形態では、生体情報として脈波、脈拍、心拍、心電、活動量、瞬き回数、摂取カロリー、消費カロリーなどを検出するとしたが、生体情報はこれらの情報に限らず、生体から検出できる情報であれば良い。例えば、脈波波形、脈拍間隔、体温、皮膚温度、歩数、血圧、血糖値、体脂肪、酸素消費量、運動量、運動強度、呼吸数などであっても良い。また、それらの組み合わせであっても良い。
【０１１１】
（変形例２）
上述の実施形態および変形例では、健康状態として、精神的なストレス状態、目の疲れ状態、足のむくみの症状、ダイエットが必要な状態などの健康状態を推定するとしたが、健康状態はこれらの状態に限らず、生体情報から推定できる健康状態であれば良い。例えば、睡眠状態、疲労状態、緊張状態、興奮状態、リラックス状態、およびカロリー収支の状態であっても良い。
【０１１２】
（変形例３）
上述の実施形態および変形例では、刺激部は、低周波のパルス電流を発生する刺激装置としたが、この装置に限らず、他の刺激を与える装置であっても良い。例えば、揉み玉やローラーなどのような突状部や湾曲部を生体の一部に接触または押圧させることで刺激を与える圧接刺激、身体部位を包み込んで空気圧やオイルの圧力で圧迫することで刺激を与える圧迫刺激、身体部位を温めるまたは冷やすことで刺激を与える温度刺激、磁気により刺激を与える磁気刺激、鍼灸針により刺激を与える鍼灸刺激などを与える装置であっても良い。
【０１１３】
（変形例４）
上述の実施形態および変形例では、刺激部は、ユーザーの前腕部、頭部、胸部の部位に刺激を与えるとしたが、これらの部位に限らず、身体の一部であれば他の部位であっても良い。例えば、足の裏を含む脚部、手の平を含む腕部、肩部、頸部、腰部などであっても良い。
【０１１４】
（変形例５）
上述の実施形態および変形例では、生体刺激システム３（１０３）における刺激装置５（５Ａ〜５Ｄ）は、ウェアー７に固定されている装置としたが、このような構成に限らず、生体に刺激を与えることができればどのような物に設置されていても良い。例えば、刺激装置５（５Ａ〜５Ｄ）は、帽子、靴、ネックウォーマー、腹巻、サポーター、ネックレスなどの服飾や、椅子、ソファー、ベッド、浴槽、便器などの生活家具、自動車、電車、飛行機などの乗り物の運転席や座席の椅子、映画館、フィットネス施設、遊技場、ホテルなどの公共施設のソファーや椅子などに設置されていても良い。
【符号の説明】
【０１１５】
１，１０１，２０１，３０１，４０１…生体刺激装置、１Ｑ…生体刺激機能、２…通信、３，１０３…生体刺激システム、５…刺激装置、５Ａ，５Ｂ，５Ｃ，５Ｄ…複数台の刺激装置、７…ウェアー、１０…検出部、１１…脈拍センサー、１３…体動センサー、１５…瞬き検出センサー、１７…気圧センサー、３０…報知部、３１…表示部、３３…音出力部、３５…操作部、３７…時計部、４０，１４０，２４０…記憶部、４１，１４１，２４１…推定プログラム、４３，１４３，２４３…決定プログラム、５０，１５０，２５０…制御部、５１…検出制御部、５３，１５３，２５３，３５３…推定部、５５，１５５，２５５，３５５…決定部、５７…刺激制御部、６０…通信部、７０…刺激部、７１…受信部、１１０…検出部、２１０…検出部、２１１…心拍センサー。
【図１】
2016158700.tif 000003
【図２】
2016158700.tif 000004
【図３】
2016158700.tif 000005
【図４】
2016158700.tif 000006
【図５】
2016158700.tif 000007
【図６】
2016158700.tif 000008
【図７】
2016158700.tif 000009
【図８】
2016158700.tif 000010
【図９】
2016158700.tif 000011
【図１０】
2016158700.tif 000012
【図１１】
2016158700.tif 000013
【図１２】
2016158700.tif 000014
【図１３】
2016158700.tif 000015